(57)【要約】      （修正有）【課題】装着し易く、挿入された指に対してキャップ部分が回転し難く、使用感が向上し、使用後、指に装着された本体部を取り外し易い指装着歯ブラシを提供する。【解決手段】指装着歯ブラシ１Ａは、筒部の一端側の開口部２１から他端側の閉塞部２２に向けて手指を挿入して該手指に装着可能な軟質樹脂からなる袋状の本体部２と、本体部２の筒部の周方向Ｃにおける一方側領域に配されたブラシ部３とを備える。また、指装着歯ブラシ１Ａは、本体部２における少なくともブラシ部３が配された側に、開口部２１から本体部２と反対方向に延びる舌片部４を有する。舌片部４は、本体部２と同じ樹脂で形成され、本体部２と一体に形成されている。【選択図】図１
0003184795.tif 000002
【実用新案登録請求の範囲】
【請求項１】
筒部の一端側の開口部から他端側の閉塞部に向けて手指を挿入して該手指に装着可能な軟質樹脂からなる袋状の本体部と、該本体部の筒部の周方向における一方側領域に配されたブラシ部とを備えた指装着歯ブラシであって、
前記本体部における少なくとも前記ブラシ部が配された側に、前記開口部から前記本体部と反対方向に延びる舌片部を有しており、
前記舌片部は、前記本体部と同じ樹脂で形成され、前記本体部と一体に形成されている指装着歯ブラシ。
【請求項２】
前記舌片部は、その肉厚が、前記本体部のブラシ部以外の領域の肉厚よりも厚く形成されている請求項１に記載の指装着歯ブラシ。
【請求項３】
前記舌片部は、該舌片部の両側縁における前記開口部との境界近傍に、内方に括れた括れ部を有する請求項１又は２に記載の指装着歯ブラシ。
【請求項４】
前記舌片部は、前記本体部と反対側の端部領域がドーム形状に形成されている請求項１〜３の何れか１項に記載の指装着歯ブラシ。
【請求項５】
前記ブラシ部は、前記本体部の一部の領域又は前記本体部の表面に隆起した領域であるである台座と該台座から外方に突出する複数のブラシ用突起とを有し、該台座の肉厚が均一である請求項１〜４の何れか１項に記載の指装着歯ブラシ。
【請求項６】
前記ブラシ部は、前記本体部の一部の領域又は前記本体部の表面に隆起した領域である台座と該台座から外方に隆起する複数のブラシ用突起とを有し、該複数のブラシ用突起の先端を結んでなる仮想面は、前記台座の表面形状に倣った曲面で形成されている請求項１〜５の何れか１項に記載の指装着歯ブラシ。
【請求項７】
前記ブラシ部は、前記本体部の表面に配される台座と該台座から外方に隆起する複数のブラシ用突起とを有し、該複数のブラシ用突起の高さが均一である請求項１〜６の何れか１項に記載の指装着歯ブラシ。
【請求項８】
前記ブラシ部を構成する前記台座は、その肉厚が０．５ｍｍ以上３ｍｍ以下であり、前記ブラシ部を構成する前記ブラシ用突起は、その高さが１ｍｍ以上５ｍｍ以下である請求項５〜７の何れか１項に記載の指装着歯ブラシ。
【請求項９】
前記本体部は、手指が挿入される内面が、シボ面で形成されている請求項１〜８の何れか１項に記載の指装着歯ブラシ。
【請求項１０】
前記本体部は、ＪＩＳ  Ｋ６２５３−３に基づく硬度が、３０以上５０以下である請求項１〜９の何れか１項に記載の指装着歯ブラシ。
【請求項１１】
前記舌片部は、前記本体部の周方向における前記ブラシ部が配された一方側の第１舌片部と、前記本体部の周方向における他方側領域に配され、前記開口部から前記本体部と反対側に延びる第２舌片部とを有している請求項１〜１０の何れか１項に記載の指装着歯ブラシ。
【請求項１２】
前記第２舌片部は、前記本体部の開口部からの延出長さが、前記第１舌片部の該延出長さよりも長い請求項１１に記載の指装着歯ブラシ。
【請求項１３】
請求項１〜１２の何れか１項に記載の指装着歯ブラシと、該指装着歯ブラシの前記開口部から挿入して該指装着歯ブラシを保存する保存用スティックとを備えた指装着歯ブラシセット。
【考案の詳細な説明】
【技術分野】
【０００１】
本考案は、手指に装着して使用される指装着歯ブラシに関する。
【背景技術】
【０００２】
従来より、手指に装着して使用される指歯ブラシが知られている（例えば、特許文献１〜３）。特許文献１〜３に記載の指歯ブラシは、指に装着して使用されるため、操作性に優れ、歯の手入れに好適に使用される。しかし、特許文献１〜３に記載の指歯ブラシは、使用中に、装着した指に対して回転してしまい、使用し難いとの課題があった。
【０００３】
これに対し、特許文献４に記載の指歯ブラシは、本体部分がＵ字溝形に形成されており、本体部分に挿入された指がＵ字溝形で挟まれるようになるので、挿入された指に対してＵ字溝形の本体部分が回転し難く、使用感が向上する。
【０００４】
同様に、特許文献５に記載の指歯ブラシは、指を挿入するキャップ部分と、指内側に沿って案内する保持部分とを有しており、指歯ブラシ装着状態で、該保持部分が手のひら内まで達するように形成されているので、挿入された指に対してキャップ部分が回転し難く、使用感が向上する。
【先行技術文献】
【特許文献】
【０００５】
【特許文献１】特開２００５−２５３８７２号公報
【特許文献２】登録実用新案公報第３００５００４号
【特許文献３】実開平６−５７２２９号公報
【特許文献４】特開平５−４２０１６号公報
【特許文献５】特表平１０−５０３４０９号公報
【考案の概要】
【考案が解決しようとする課題】
【０００６】
しかし、特許文献４に記載の指歯ブラシは、Ｕ字溝形が本体部分の全長に亘って形成されているので、使用中に本体部分の内部に唾液が入り込み易く、入り込んだ唾液により、装着した指に対して、やはり回転してしまい、使用し難くなってしまう。また、衛生的にも問題があった。さらに、特許文献４には、使用後、指に装着されたＵ字溝形の本体部分が取り外し易いことに関して、何ら配慮されていない。
【０００７】
特許文献５に記載の指歯ブラシは、キャップ部分に挿入した人差し指と保持部分を引っ掛ける親指とで、使用中、指歯ブラシを引っ張り続ける必要があり、そもそも操作性に問題があった。また、保持部分を親指に引っ掛け難く、装着し難いとの問題もあった。
【０００８】
従って、本考案は、上記課題を解消し得る指装着歯ブラシを提供することに関する。
【課題を解決するための手段】
【０００９】
本考案は、筒部の一端側の開口部から他端側の閉塞部に向けて手指を挿入して該手指に装着可能な軟質樹脂からなる袋状の本体部と、該本体部の筒部の周方向における一方側領域に配されたブラシ部とを備えた指装着歯ブラシであって、前記本体部における少なくとも前記ブラシ部が配された側に、前記開口部から前記本体部と反対方向に延びる舌片部を有しており、前記舌片部は、前記本体部と同じ樹脂で形成され、前記本体部と一体に形成されている指装着歯ブラシを提供するものである。
【考案の効果】
【００１０】
本考案の指装着歯ブラシによれば、装着し易く、挿入された指に対してキャップ部分が回転し難く、使用感が向上する。また、本考案の指装着歯ブラシによれば、使用後、指に装着された本体部を取り外し易い。
【図面の簡単な説明】
【００１１】
【図１】図１は、本考案の好ましい第１実施形態の指装着歯ブラシの斜視図である。
【図２】図２は、図１に示す第１実施形態の指装着歯ブラシの正面図である。
【図３】図３は、図１に示す第１実施形態の指装着歯ブラシの側面図である。
【図４】図４は、図１に示す第１実施形態の指装着歯ブラシの有するブラシ部の一部拡大図である。
【図５】図５は、図１に示す第１実施形態の指装着歯ブラシの使用状態を示す図である。
【図６】図６は、本考案の好ましい第２実施形態の指装着歯ブラシの斜視図である。
【図７】図７は、図６に示す第２実施形態の指装着歯ブラシの正面図である。
【図８】図８は、図６に示す第２実施形態の指装着歯ブラシの側面図である。
【図９】図９は、図６に示す第２実施形態の指装着歯ブラシの使用状態を説明する図である。
【図１０】図１０は、本考案の好ましい第３実施形態の指装着歯ブラシの斜視図である。
【図１１】図１１は、図１０に示す第３実施形態の指装着歯ブラシの正面図である。
【図１２】図１２は、図１０に示す第３実施形態の指装着歯ブラシの側面図である。
【図１３】図１３は、図１０に示す第３実施形態の指装着歯ブラシの使用状態を説明する図である。
【図１４】図１４は、本考案の好ましい別の実施形態の指装着歯ブラシの斜視図である。
【図１５】図１５は、本考案の指装着歯ブラシの別の実施形態を示す図である。
【図１６】図１６は、本考案の指装着歯ブラシの別の実施形態を示す図である。
【図１７】図１７は、本考案の指装着歯ブラシの別の実施形態を示す図である。
【図１８】図１８は、本考案の指装着歯ブラシの別の実施形態を示す図である。
【図１９】図１９は、本考案の好ましい第１実施形態の指装着歯ブラシと該指装着歯ブラシを保存する保存用スティックとを有する指装着歯ブラシセットの斜視図である。
【図２０】図２０は、本考案の好ましい第１実施形態の指装着歯ブラシに保存用スティックを挿入した指装着歯ブラシセットを保管する説明図である。
【図２１】図２１は、別の保存用スティックの斜視図である。
【考案を実施するための形態】
【００１２】
以下、本考案の指装着歯ブラシを、その好ましい第１実施形態に基づき、図１〜図４を参照しながら説明する。
第１実施形態の指装着歯ブラシ１Ａ（以下、単に「指装着歯ブラシ１Ａ」ともいう。）は、図１〜図３に示すように、筒部の一端側の開口部２１から他端側の閉塞部２２につきあたるまで手指を挿入して該手指に装着可能な軟質樹脂からなる袋状の本体部２と、本体部２の筒部の周方向Ｃにおける一方側領域に配されたブラシ部３とを備えている。また、指装着歯ブラシ１Ａは、本体部２における少なくともブラシ部３が配された側に、開口部２１から本体部２と反対方向に延びる舌片部４を有している。
以下の説明においては、図１〜図３に示すように、手指を挿入する本体部２の開口部２１から閉塞部２２の方向、即ち筒部の軸方向及び指装着歯ブラシ１Ａの軸方向を、Ｙ方向として説明し、Ｙ方向に直交する本体部２の幅方向及び指装着歯ブラシ１Ａの幅方向をＸ方向として説明する。Ｙ方向においては、筒部の他端側の閉塞部２２の側にブラシ部３が設けられていることが好ましい。また、本体部２の軸方向（Ｙ方向）及び幅方向（Ｘ方向）からなる面方向に直交する方向である厚み方向をＺ方向として説明する。Ｚ方向においては、ブラシ部３を配する一方側領域のある方向を上方側として説明する。
【００１３】
指装着歯ブラシ１Ａの本体部２は、図１〜図３に示すように、Ｙ方向の一端側に、円環状の開口部２１を有している。そして、本体部２は、開口部２１から手指、好適には人差し指を他端側の閉塞部２２につきあたるまで挿入して該手指（人差し指）に装着される袋状の指サック形状を有している（図５参照）。
【００１４】
本体部２は、例えば図５に示すように人差し指を挿入する場合、本体部２の軸方向の長さは、人差し指の先端から第２関節までの長さ以上、人差し指の先端から付け根までの長さ以下を有することが好ましく、具体的には、本体部２の他端側の閉塞部２２の内側面から開口部２１までのＹ方向の長さが、４０ｍｍ〜８０ｍｍ程度のものであることが好ましい。また、指装着歯ブラシ１Ａの指サック状の本体部２は、例えば人差し指を挿入する場合に、使用中、人差し指に対して回転し難いように、本体部２の筒部はＹ方向の開口部２１から他端側に向かって、内径が漸次減少していることが好ましい。男女兼用とするため、標準女性の人差し指に対しては少し緩めに設計し、標準男性の人差し指に対しては丁度に設計し、標準男性よりも太めの男性の人差し指に対してはきつめに設計することが好ましく、具体的には、本体部２の開口部２１での内径が、１５ｍｍ〜２７ｍｍ程度のものであることが好ましく、１８ｍｍ〜２５ｍｍであることがより好ましい。本体部２のブラシ部３での内径（正確にはブラシ部３のＹ方向の開口部２１の側での内径）が、１２ｍｍ〜２４ｍｍ程度のものであることが好ましく、１５ｍｍ〜２３ｍｍであることが好ましい。
【００１５】  本体部２は、指の動きに追従して自在に指装着歯ブラシ１Ａを操作し易くする観点及び指への密着性の観点から、本体部２は、ＪＩＳ  Ｋ６２５３−３（２０１２年版）に基づく硬度が、３０以上５０以下であることが好ましく、３０以上４５以下であることがより好ましく、３０以上４０以下であることが更に好ましい。ここで、ＪＩＳ  Ｋ６２５３−３に基づく硬度は、デュロメータで測定することが可能であり、デュロメータとしては、例えば（公序良俗違反につき、不掲載）が挙げられる。また、本体部２の厚みは、０．５ｍｍ〜２．５ｍｍ程度のものであることが好ましい。本体部２を構成する軟質樹脂の材質としては、シリコンゴム、イソプレンゴム、フッ素ゴム、スチレン・ブタジエンゴム、アクリロニトリル・ブタジエンゴム、エチレンプロピレンゴム、ブチレンゴム、ウレタンゴムから選ばれるゴム材質が好ましく、シリコンゴム及びイソプレンゴムから選ばれるゴム材質がより好ましく、本実施形態ではシリコンゴムにより形成されている。
【００１６】
また、指装着歯ブラシ１Ａの本体部２は、手指を挿入する内面が、シボ面で形成されていることが好ましい。本体部２の内面がシボ面で形成されると、本体部２内に手指を挿入し易く、指装着歯ブラシ１Ａの使用後、本体部２内に挿入された手指を抜き出し易くなる。シボ面は、微細な凹凸からなり、凹部の最大深さは、例えば１００μｍ以下、好ましくは１０μｍ以下で形成される。シボ面の凹凸は、例えばメッシュやドット模様、ストライプ模様等を形作ることが好ましい。また、指装着歯ブララシ１Ａの本体部２は、手指を挿入する内面に加えて外面もシボ面で形成されていることが好ましい。シボ面で形成されると、軟質樹脂でありながら成形時に金型から抜き取りやすくなり、製造性を向上することができるし、手指に密着させて装着しても、シボ面により本体部２と手指との間の摩擦を減少させることができるため、手指への挿入も抜出しも容易となる。
【００１７】
ブラシ部３は、図１〜図３に示すように、本体部２のＹ方向の他端部側に近い領域であって、本体部２の筒部の周方向Ｃにおける一方側領域に配されている。ここで、周方向Ｃにおける一方側領域とは、図３に示すように、例えば指装着歯ブラシ１Ａにおいて、Ｚ方向の上方側を意味する。指装着歯ブラシ１Ａのブラシ部３は、本体部２の表面の一部の領域、好ましくは本体部２の表面に一定の厚みで隆起している領域の台座３１と該台座３１から外方（指装着歯ブラシ１ＡではＺ方向外方）に突出する複数のブラシ用突起３２とを有している。指装着歯ブラシ１Ａは、台座３１及び複数のブラシ用突起３２からなるブラシ部３が、本体部２のＹ方向の他端部側の周方向Ｃにおける一方側領域（Ｚ方向の上方側領域）に一体成形されている。このように、指装着歯ブラシ１Ａにおいては、台座３１及び複数のブラシ用突起３２からなるブラシ部３と本体部２とが一体成形されていることが好ましい。
【００１８】
指装着歯ブラシ１Ａは、台座３１は、その肉厚が均一に形成されていることが好ましい。台座３１の肉厚とは、本体部２の内周面から台座３１の表面までの厚みであり、本体部２における台座３１が設けられている領域であって、ブラシ用突起３２が設けられていない領域の肉厚である。台座３１の肉厚は、０．５ｍｍ以上、３ｍｍ以下であることが好ましく、０．５ｍｍ以上、２ｍｍ以下であることが更に好ましい。ここで、台座３１の肉厚が均一とは、台座３１の各部の肉厚が、台座３１の平均の肉厚に対して９０％〜１１０％程度の範囲内であることを意味する。このように、台座３１の肉厚が均一に形成されていると、歯或いは歯茎へのブラシ用突起３２の当たりが均一になり易く、使用感が向上する。また、同様な観点から、台座３１は、図１に示すように、台座３１の表面形状が、本体部２の周方向Ｃの表面及び本体部２のＹ方向の他端側の曲面に倣った曲面、即ち、本体部２に挿入する手指の手先に倣った曲面で形成されていることが好ましい。
【００１９】
指装着歯ブラシ１Ａは、複数のブラシ用突起３２は、図３に示すように、台座３１のＺ方向上面から一体的に隆起して形成されている。各ブラシ用突起３２は、台座３１から外方（先端）に向けて断面積が小さくなる形状であることが好ましく、円錐形状であることがさらに好ましく、ブラシ用突起３２の先端が面取りされて、先端の方向であるＺ方向の上方に凸の半球状に形成されていることがより好ましい。複数のブラシ用突起３２は、図２に示すように、台座３１のＸ方向及びＹ方向それぞれに、所定の等ピッチで複数配置されていることが好ましい。複数のブラシ用突起３２は、例えば２０本／ｃｍ2〜３６本／ｃｍ2程度設けることが好ましい。また、複数のブラシ用突起３２は、各突起３２が格子状に配置されていることが、成形上好ましい。
【００２０】
各ブラシ用突起３２は、図４に示すように、台座３１の上面（表面）からのＺ方向の長さ（高さ）ｈ１が均一に形成されており、具体的には、１ｍｍ以上５ｍｍ以下であることが好ましく、２ｍｍ以上４ｍｍ以下であることが更に好ましい。ここで、ブラシ用突起３２のＺ方向の長さ（高さ）ｈ１が均一とは、各ブラシ用突起３２の高さｈ１が、平均のＺ方向の長さ（高さ）に対して９０％〜１１０％程度の範囲内であることを意味する。このように、ブラシ用突起３２の高さｈ１が均一であると、歯或いは歯茎へのブラシ用突起３２の当たりが均一になり易く、使用感が向上する。上述したように、各ブラシ用突起３２は、Ｚ方向に長い円錐形状を備えると共に、その先端がＺ方向上方に凸の半球状に形成されている。各ブラシ用突起３２は、図４に示すように、半球状の先端部位の直径Ｌ２が、根元部における直径Ｌ１より小さくなっており、前記直径Ｌ２が前記直径Ｌ１の好ましくは３０％以上７０％以下程度に形成されていることが好ましい。
【００２１】
複数のブラシ用突起３２の先端を結んでなる仮想面ＩＦは、図１に示すように、歯或いは歯茎へのブラシ用突起３２の当たりが均一になり易く、使用感が向上する観点から、台座３１の表面形状に倣った曲面で形成されている。上述したように、台座３１の形状は本体部２に挿入する手指の手先に倣った曲面で形成されているため、複数のブラシ用突起３２の先端を結んでなる仮想面ＩＦも、本体部２に挿入する手指の手先に倣った曲面で形成されている。
【００２２】
台座３１及びブラシ用突起３２は、歯茎のマッサージ効果が向上し、歯磨き効果が向上する観点から、その硬度が、ＪＩＳ  Ｋ６２５３−３（２０１２年版）に基づく硬度が、３０以上５０以下であることが好ましく、３０以上４５以下であることがより好ましく、３０以上４０以下であることが更に好ましい。台座３１及びブラシ用突起３２を構成する軟質樹脂の材質としては、シリコンゴム、イソプレンゴム、フッ素ゴム、スチレン・ブタジエンゴム、アクリロニトリル・ブタジエンゴム、エチレンプロピレンゴム、ブチレンゴム、ウレタンゴムから選ばれるゴム材質が好ましく、シリコンゴム及びイソプレンゴムから選ばれるゴム材質がより好ましく、本実施形態ではシリコンゴムにより形成されている。
【００２３】
舌片部４は、図１〜図３に示すように、本体部２の周方向Ｃにおけるブラシ部３が配された側（Ｚ方向上方側）に、開口部２１からＹ方向の本体部２と反対側に延びて形成されている。舌片部４は、例えば人差し指を本体部２に挿入した場合、人差し指の付け根よりも長く、手のひら側まで延在する長さを有することが好ましく、具体的には、本体部２の開口部２１から反対側の端縁までのＹ方向の長さ（最大長）が、１０ｍｍ〜５０ｍｍ程度であることが好ましく、１５ｍｍ〜４０ｍｍであることがより好ましい。舌片部４は、例えば人差し指に指装着歯ブラシ１Ａの本体部２を装着した際に、人差し指の付け根又は手のひらの人差し指の付け根近傍と親指とで挟むことができる部分である（図５参照）。また、本体部２の開口部２１は、手指を挿入することができる開口であって、本体部２と舌片部４との境界でもあり、本体部２の閉塞部２２である他端部から開口部２１までの最も短い距離を、本体部２と舌片部４との境界とし、上記の舌片部４のＹ方向の長さ（最大長）は、この境界から舌片部４の開口部２１とは反対側の端縁までの長さとする。
【００２４】
指装着歯ブラシ１Ａの舌片部４は、本体部２と同じ樹脂で形成され、本体部２と一体に形成されている。指装着歯ブラシ１Ａの舌片部４は、図１に示すように、Ｙ方向の本体部２と反対側の端部領域４Ｔの外縁形状が、挿入する手指の表面に沿って湾曲するドーム形状に形成されていることが好ましい。
【００２５】
指装着歯ブラシ１Ａでは、舌片部４は、その肉厚が均一に形成されていることが好ましく、舌片部４の肉厚は、０．８ｍｍ〜３ｍｍ程度のものであることが好ましい。ここで、舌片部４の肉厚が均一とは、舌片部４の各部の肉厚が、平均の肉厚（Ｚ方向の厚み）に対して９０％〜１１０％程度の範囲内であることを意味する。舌片部４は、その平均肉厚が、使用時の本体部２の回転をより確実に防止する観点から、本体部２の平均肉厚よりも厚く形成されていることが好ましく、前述の本体部２の回転防止と本体部２との間の亀裂や引き裂き防止とのバランスの観点から、本体部２の平均肉厚（Ｚ方向の厚み）に対して、１倍以上２倍以下の範囲であることが好ましく、１．２倍以上１．８倍以下の範囲であることが好ましい。
【００２６】
舌片部４における開口部２１との境界に位置する部分４１は、本体部２の開口部２１の全周の３０％以上８０％以下の範囲の長さであることが好ましく、該全周の４０％以上５０％以下の範囲の長さであることが更に好ましい。
【００２７】
指装着歯ブラシ１Ａの舌片部４は、該舌片部４のＹ方向に沿う両側縁における開口部２１との境界近傍に、内方に括れた括れ部４２を有する。言い換えれば、一対の括れ部４２，４２が、舌片部４のＹ方向に沿う両側縁の開口部２１寄りの部分に、指装着歯ブラシ１ＡのＹ方向に延びる中心線に向かって凸に窪んだ形状に形成されている。括れ部４２どうしの間隔は、本体部２の開口部２１の全周の２０％以上４５％以下の範囲の長さであることが好ましく、３０％以上４０％以下の範囲の長さであることが好ましい。
【００２８】
舌片部４は、例えば人差し指に指装着歯ブラシ１Ａの本体部２を装着した際に、人差し指の付け根の位置で親指によって挟み易い観点から、ＪＩＳ  Ｋ６２５３−３（２０１２年版）に基づく硬度が、３０以上５０以下であることが好ましく、３０以上４５以下であることがより好ましく、３０以上４０以下であることが更に好ましい。
【００２９】
上述した本発明の第１実施形態の指装着歯ブラシ１Ａの使用方法及び使用した際の作用効果について説明する。
指装着歯ブラシ１Ａは、図１及び図５に示すように、本体部２の開口部２１から手指、特に人差し指を挿入するだけで装着されるので、装着し易い。また、指装着歯ブラシ１Ａは、例えば図５に示すように、人差し指に指装着歯ブラシ１Ａの本体部２を装着した際に、人差し指の付け根又は手のひらの人差し指の付け根の近傍と親指とで舌片部４を挟むことができるので、使用中に、装着した指に対して回転し難く、使用感が向上する。また、指装着歯ブラシ１Ａは、使用後、本体部２の開口部２１から延出した舌片部４を持って、指に装着された本体部２を取り外し易い。更に、指装着歯ブラシ１Ａは、本体部２と舌片部４とが一体に形成されているので、使用中に、境界部分から千切れ難く、使用感が向上する。なお、使用者の人差し指が細い場合に、舌片部４は、本体部２の内部に折り込むことも可能であり、折り込むことによって、本体部２を人差し指に密着させることができる。
【００３０】
指装着歯ブラシ１Ａは、舌片部４に一対の括れ部４２，４２を有しているので、人差し指に指装着歯ブラシ１Ａの本体部２を装着した際に、筒状の本体部２の開口部２１から、やや平らな手のひらの表面に舌片部４を無理なく密着させることが可能となり、また、舌片部４が手のひらの人差し指の付け根の近傍から手のひらの側面の側まで密着しやすくなる。
【００３１】
次に、本発明の第２〜第３実施形態の指装着歯ブラシについて説明する。第２〜第３実施形態の指装着歯ブラシ１Ｂ〜１Ｃは、舌片部４の形状が第１実施形態の指装着歯ブラシ１Ａと異なる。第２〜第３実施形態の指装着歯ブラシ１Ｂ〜１Ｃについては、第１実施形態の指装着歯ブラシ１Ａと異なる点について主として説明し、同様の点については同一の符号を付して説明を省略する。特に言及しない点については、第１実施形態の指装着歯ブラシ１Ａに関する説明が適宜適用される。
【００３２】
第２実施形態の指装着歯ブラシ１Ｂは、図６〜図９に示すように、舌片部４が、本体部２におけるブラシ部３が配された側の第１舌片部４Ａと、本体部２の周方向Ｃにおける他方側領域に配され、開口部２１からＹ方向の本体部２と反対側に延びる第２舌片部４Ｂとを有している。指装着歯ブラシ１Ｂの第１舌片部４Ａは、第１実施形態の指装着歯ブラシ１Ａの舌片部４と同様に形成されている。
【００３３】
第２舌片部４Ｂは、図９に示すように、手指に指装着歯ブラシ１Ｂの本体部２を装着する前に、開口部２１の境界を介して本体部２の内部に折り返され、例えば人差し指に指装着歯ブラシ１Ａの本体部２を装着する際に、第２舌片部４Ｂの厚みにより、人差し指と本体部２とを密着させる部分である。なお、開口部２１とは、第１舌片部４Ａ及び第２舌片部４Ｂが設けられていない本体部２の端部と該端部を含む円周領域である。
【００３４】
第２舌片部４Ｂは、図６〜図８に示すように、本体部２の周方向Ｃにおける他方側領域（ブラシ部３が配された側と反対側、Ｚ方向下方側）に、開口部２１からＹ方向の本体部２と反対側に延びて形成されている。指装着歯ブラシ１Ｂの第２舌片部４Ｂは、図７に示すように、開口部２１から第２舌片におけるＹ方向の開口部２１とは反対側の端縁までの長さである延出長さ（最大長さ）が、第１舌片部４Ａの延出長さと概ね同じ長さに形成されている。
【００３５】
指装着歯ブラシ１Ｂの第２舌片部４Ｂは、第１舌片部４Ａと同様に、本体部２と一体に形成されている。
【００３６】
指装着歯ブラシ１Ｂでは、第２舌片部４Ｂは、その肉厚が均一に形成されており、肉厚は０．８ｍｍ〜３ｍｍ程度のものであることが好ましく、１ｍｍ〜２．５ｍｍ程度のものであることが好ましい。ここで、第２舌片部４Ｂの肉厚が均一とは、第２舌片部４Ｂの各部分の肉厚が、平均の肉厚に対して９０％〜１１０％程度の範囲内であることを意味する。第２舌片部４Ｂは、その平均肉厚が、本体部２の内側に折り返しやすくさせる観点、使用者の指の太さに対応して密着性を向上させる観点から、本体部２の平均肉厚（Ｚ方向の厚み）よりも厚く形成されていることが好ましく、具体的には、本体部２の平均肉厚（Ｚ方向の厚み）に対して、１倍以上２倍以下の範囲であることが好ましく、１．２倍以上１．８倍以下の範囲であることが好ましい。
【００３７】
第２舌片部４Ｂは、図６に示すように、その輪郭が、第１舌片部４Ａの輪郭と同じに形成されている。第２舌片部４Ｂにおける開口部２１との境界に位置する部分４１は、本体部２の開口部２１の全周の３０％以上５０％以下の範囲の長さであることが好ましく、該全周の３５％以上５０％以下の範囲の長さであることが更に好ましい。
【００３８】
指装着歯ブラシ１Ｂの第２舌片部４Ｂは、第１舌片部４Ａと同様に、該第２舌片部４ＢのＹ方向に沿う両側縁における開口部２１との境界近傍に、内方に括れた括れ部４２ｂ，４２ｂを有する。言い換えれば、一対の括れ部４２ｂ，４２ｂが、第２舌片部４ＢのＹ方向に沿う両側縁の開口部２１寄りの部分に、指装着歯ブラシ１ＢのＹ方向に延びる中心線に向かって凸に窪んだ形状に形成されている。括れ部４２ｂどうしの間隔は、本体部２の開口部２１の全周の２０％以上４５％以下の範囲の長さであることが好ましく、３０％以上４０％以下の範囲の長さであることが好ましい。
【００３９】
第２舌片部４Ｂの硬度は、第１舌片部４Ａの硬度と同じであり、第２舌片部４Ｂを構成する軟質樹脂の材質も、第１舌片部４Ａを構成する軟質樹脂の材質と同じであり、本体部２を構成する軟質樹脂の材質と同じである。
【００４０】
上述した第２実施形態の指装着歯ブラシ１Ｂを使用した際の作用効果について説明する。
指装着歯ブラシ１Ｂの効果については、指装着歯ブラシ１Ａの効果と異なる点について説明する。特に説明しない点は、指装着歯ブラシ１Ａの効果と同様であり、指装着歯ブラシ１Ａの効果の説明が適宜適用される。
【００４１】
指装着歯ブラシ１Ｂは、図９に示すように、例えば人差し指に指装着歯ブラシ１Ａの本体部２を装着した際に、人差し指の付け根と親指とで挟むことができる第１舌片部４Ａ以外に、予め本体部２の内部に折り返して使用され、人差し指と本体部２とを密着させる第２舌片部４Ｂも有しているので、指の太さに応じて第２舌片部４Ｂを本題部２の内部に折り返すことができるので、指の細い使用者が用いた場合であっても、使用中に、装着した指に対して更に回転し難く、使用感が更に向上する。
【００４２】
次に、第３実施形態の指装着歯ブラシ１Ｃは、図１０〜図１３に示すように、第２実施形態の指装着歯ブラシ１Ｂと同様に、舌片部４が、本体部２におけるブラシ部３が配された側の第１舌片部４Ａと、本体部２の周方向Ｃにおける他方側領域に配され、開口部２１からＹ方向の本体部２と反対方向に延びる第２舌片部４Ｂとを有している。指装着歯ブラシ１Ｃの第１舌片部４Ａは、第１実施形態の指装着歯ブラシ１Ａの舌片部４と同様に形成されている。
【００４３】
第３実施形態の指装着歯ブラシ１Ｃの有する第２舌片部４Ｂは、第２実施形態の指装着歯ブラシ１Ｂの有する第２舌片部４Ｂと、Ｙ方向の長さが異なる以外は同様に形成されている。指装着歯ブラシ１Ｃの第２舌片部４Ｂは、図１０〜図１２に示すように、その延出長さが、第１舌片部４Ａの延出長さよりも長く形成されており、具体的には、第１舌片部４Ａの延出長さの１．５倍以上４倍以下の範囲であることが好ましく、２倍以上３倍以下の範囲であることがより好ましく、Ｙ方向の長さが、２５ｍｍ〜６０ｍｍ程度のものであることが好ましく、３０ｍｍ〜４０ｍｍ程度のものであることが好ましい。
【００４４】
上述した第３実施形態の指装着歯ブラシ１Ｃを使用した際の作用効果について説明する。
指装着歯ブラシ１Ｃの効果については、指装着歯ブラシ１Ａ，１Ｂの効果と異なる点について説明する。特に説明しない点は、指装着歯ブラシ１Ａ，１Ｂの効果と同様であり、指装着歯ブラシ１Ａ，１Ｂの効果の説明が適宜適用される。
【００４５】
指装着歯ブラシ１Ｃは、使用者の指の太さに応じて第２舌片部４Ｂの本体部２の内部への折り返しの面積を調節することができるので、指の太さに応じた本体部２の密着性を調節することが可能となり、指の太さによらず、使用中に、装着した指に対する回転防止性能を向上し、使用感を更に向上することができる。
【００４６】
本発明の指装着歯ブラシは、上述の第１〜第３実施形態の指装着歯ブラシ１Ａ〜１Ｃに何ら制限されるものではなく、適宜変更可能である。また、上述の第１〜第３実施形態の指装着歯ブラシ１Ａ〜１Ｃにおける各構成要件は、本発明の趣旨を損なわない範囲で、適宜組み合わせて実施できる。
【００４７】
例えば、上述の第１〜第３実施形態の指装着歯ブラシ１Ａ〜１Ｃにおいては、図３，図６，図１０に示すように、台座３１は肉厚に形成されているが、台座３１が本体部２と同じ肉厚に形成されていてもよく、この場合の台座３１は、複数のブラシ用突起３２の最外周のブラシ用突起３２の外周を結んだ仮想領域である。
【００４８】
また、上述の第１〜第３実施形態の指装着歯ブラシ１Ａ〜１Ｃにおいては、図２，図７，図１１に示すように、舌片部４（第１舌片部４Ａ，第２舌片部４Ｂ）に括れ部４２，４２ｂが形成されているが、括れ部４２，４２ｂが形成されていなくてもよい。また舌片部４（第１舌片部４Ａ，第２舌片部４Ｂ）の括れ部４２，４２ｂの形状は、図２，図７，図１１に示すような、内方に湾曲した凸状に括れた形状以外に、例えば、図１４に示すような、内方にスリット状に鋭く括れた形状であってもよい。図１４に示す指装着歯ブラシ１Ａ’は、第１実施形態の指装着歯ブラシ１Ａの変形例である。尚、舌片部４のＹ方向後端領域４Ｔのドーム形状は、図１４に示す変形例のように、適宜、本体部２の周方向Ｃの長さを変更してもよい。
【００４９】
上述の第１〜第３実施形態の指装着歯ブラシ１Ａ〜１Ｃにおいては、図１，図６，図１０に示すように、舌片部４（第１舌片部４Ａ及び第２舌片部４Ｂ）の中央部分にＺ方向に貫通する貫通口４４を設け、紐等を通せるようにしてもよい。貫通口４４を設けて紐等を通せば、指装着歯ブラシ１Ａ〜１Ｃを保管するのに便利である。
【００５０】
更に、本発明の指装着歯ブラシの実施形態として、図１５，図１６，図１７，図１８に示す実施形態を採用してもよい。
【００５１】
上述の第１〜第３実施形態の指装着歯ブラシ１Ａ〜１Ｃは、該指装着歯ブラシ１Ａ〜１Ｃと、指装着歯ブラシ１Ａ〜１Ｃを保存する保存用スティック５とのセットの指装着歯ブラシ１０として提供されると、上述した種々の効果が奏されると共に、衛生的に保管できるため、好適である。
図１９には、指装着歯ブラシ１Ａと、指装着歯ブラシ１Ａの開口部２１から挿入して指装着歯ブラシ１Ａを保存する保存用スティック５とを備えた指装着歯ブラシセット１０が示されている。
【００５２】
保存用スティック５は、図１９に示すように、指装着歯ブラシ１Ａの軸方向（Ｙ方向）の長さよりも長い棒状（円柱状）のものである。棒状の保存用スティック５の両端の一方側端部である指装着歯ブラシ１Ａ挿入側の端部は、球状に形成されている。尚、保存用スティック５の両端が球状に形成されていてもよい。保存用スティック５は、そのＹ方向の長さ（軸方向の長さ）が、指装着歯ブラシ１Ａの１．５倍〜３倍程度の長さのものが好ましく、１２０ｍｍ〜２２０ｍｍの長さのものが好ましく、１５０ｍｍ〜２００ｍｍの長さのものが好ましい。
【００５３】
指装着歯ブラシセット１０は、保存用スティック５を指装着歯ブラシ１Ａの開口部２１から挿入して、例えば歯ブラシ立てに立て掛けたり、図２０に示すようにコップに立て掛けたりすることにより、指装着歯ブラシ１Ａを衛生的に保存することができる。
【００５４】
尚、図１９に示す保存用スティック５は、円柱状に形成されているが、図２１（ａ）に示すように、プレート状に形成されていてもよいし、図２１（ｂ）に示すように、ストロー形状（中空の棒状）に形成されていてもよい。
【符号の説明】
【００５５】
１Ａ，１Ｂ，１Ｃ  指装着歯ブラシ
２  本体部
２１  開口部
２２  閉塞部
３  ブラシ部
３１  台座
３２  ブラシ用突起
４  舌片部
４１  境界に位置する部分
４２  括れ部
４Ｔ  後端領域
４Ａ  第１舌片部
４Ｂ  第２舌片部
４２ｂ  括れ部
５  保存用スティック
１０  指装着歯ブラシセット
【図１】
0003184795.tif 000003
【図２】
0003184795.tif 000004
【図３】
0003184795.tif 000005
【図４】
0003184795.tif 000006
【図５】
0003184795.tif 000007
【図６】
0003184795.tif 000008
【図７】
0003184795.tif 000009
【図８】
0003184795.tif 000010
【図９】
0003184795.tif 000011
【図１０】
0003184795.tif 000012
【図１１】
0003184795.tif 000013
【図１２】
0003184795.tif 000014
【図１３】
0003184795.tif 000015
【図１４】
0003184795.tif 000016
【図１５】
0003184795.tif 000017
【図１６】
0003184795.tif 000018
【図１７】
0003184795.tif 000019
【図１８】
0003184795.tif 000020
【図１９】
0003184795.tif 000021
【図２０】
0003184795.tif 000022
【図２１】
0003184795.tif 000023
【手続補正書】
【提出日】平成25年5月21日(2013.5.21)
【手続補正１】
【補正対象書類名】明細書
【補正対象項目名】００１５
【補正方法】変更
【補正の内容】
【００１５】
本体部２は、指の動きに追従して自在に指装着歯ブラシ１Ａを操作し易くする観点及び指への密着性の観点から、本体部２は、ＪＩＳ  Ｋ６２５３−３（２０１２年版）に基づく硬度が、３０以上５０以下であることが好ましく、３０以上４５以下であることがより好ましく、３０以上４０以下であることが更に好ましい。ここで、ＪＩＳ  Ｋ６２５３−３に基づく硬度は、デュロメータで測定することが可能である。また、本体部２の厚みは、０．５ｍｍ〜２．５ｍｍ程度のものであることが好ましい。本体部２を構成する軟質樹脂の材質としては、シリコンゴム、イソプレンゴム、フッ素ゴム、スチレン・ブタジエンゴム、アクリロニトリル・ブタジエンゴム、エチレンプロピレンゴム、ブチレンゴム、ウレタンゴムから選ばれるゴム材質が好ましく、シリコンゴム及びイソプレンゴムから選ばれるゴム材質がより好ましく、本実施形態ではシリコンゴムにより形成されている。